(57)【要約】【課題】操作者及び患者の負担を極力少なくし、且つ、検査の進行に必要な画像視野を簡単に確保することのできるＸ線診断装置を提供する。【解決手段】検出器３のみを、その検出面に沿って平行移動させる機構を構成する。尚、検出器３の平行移動は、専用の操作レバー１４の操作により行うこととする。また、これに伴い、検出器３の移動に応じて、自動的にＸ線管２の方向調整や、絞り２ａの絞り位置及び開度の調整を行うシステムを構成する。さらには、検出器３の移動に応じて、自動的に、モニタに表示される画像の歪み補正や、モニタに表示される画像と参照画像或いはロードマップ時のマスク像との中心位置調整を行うシステムを構成する。【選択図】　図５
2004105568.tif 000002
【特許請求の範囲】
【請求項１】
被検体に対してＸ線を照射するＸ線管と、前記Ｘ線管より照射されたＸ線を検出する検出器と、前記Ｘ線管のＸ線照射方向と前記検出器の検出面とが前記被検体を挟んで互いに対向するように支持する支持手段と、を含むＸ線診断装置であって、
前記支持手段は、前記検出器のみを、その検出面に沿って平行移動させる検出器移動手段を備えることを特徴とするＸ線診断装置。
【請求項２】
前記支持手段は、前記検出器移動手段により前記検出器が平行移動された場合に、前記検出器の平行移動に応じて、前記Ｘ線管の方向調整を行うことが可能な方向調整手段をさらに備えることを特徴とする請求項１記載のＸ線診断装置。
【請求項３】
前記Ｘ線管は、前記検出器移動手段により前記検出器が平行移動された場合に、前記検出器の平行移動に応じて、前記Ｘ線管の照射位置及び照射範囲の調整を行うことが可能な絞り機構をさらに備えることを特徴とする請求項１又は請求項２に記載のＸ線診断装置。
【請求項４】
前記支持手段は、前記検出器移動手段により前記検出器が限界まで平行移動された場合に、さらに、前記検出器の検出面に沿って、前記Ｘ線管及び前記検出器を平行移動させることの可能なＸ線管／検出器移動手段をさらに備えることを特徴とする請求項１乃至請求項３の何れか一項に記載のＸ線診断装置。
【請求項５】
前記検出器移動手段により前記検出器を平行移動させる操作手段と、前記検出器を予め設定される原点位置に移動させる原点復帰手段とを備えた操作部をさらに備えることを特徴とする請求項１乃至請求項４の何れか一項に記載のＸ線診断装置。
【請求項６】
前記検出器移動手段は、互いに略直交する２軸の平行移動手段を備え、前記２軸の平行移動手段の平行移動により前記検出器の斜め方向への平行移動を可能にすることを特徴とする請求項１乃至請求項５の何れか一項に記載のＸ線診断装置。
【請求項７】
前記検出器からの投影データを基に、画像を作成する画像作成手段を備え、当該画像作成手段は、前記検出器移動手段により前記検出器が平行移動された場合に、前記検出器の平行移動に対応して、前記画像に生じる歪みを補正する画像歪み補正手段をさらに備えることを特徴とする請求項１乃至請求項６の何れか一項に記載のＸ線診断装置。
【請求項８】
前記画像作成手段により作成された画像を表示する表示手段と、前記検出器移動手段により前記検出器が平行移動された場合に、前記検出器の平行移動に対応して、前記表示手段に表示される画像の表示範囲の位置補正を行う表示範囲位置補正手段とを備えることを特徴とする請求項１乃至請求項７の何れか一項に記載のＸ線診断装置。
【発明の詳細な説明】
【０００１】
【発明の属する技術分野】
本発明は、被検体をＸ線にて透視又は撮影することで画像を作成するＸ線診断装置に関し、特に、前記画像を造影検査や治療等に供することを目的とするＸ線診断装置に関するものである。
【０００２】
【従来の技術】
従来より、被検体をＸ線にて透視又は撮影することで画像を作成するＸ線診断装置が知られている（例えば、特許文献１参照。）。このようなＸ線診断装置の中には、被検体の治療や血管造影検査等を行う目的で構成されたものがあり、例えば、医師が細いガイドワイヤーを被検体の血管内に挿入して、カテーテルや治療に必要なデバイス（以下、これらのことをデバイスと称する）を患部まで押し進める作業等を支援したり、血管に造影剤を注入し、撮影することで血管造影像を収集する際などに用いられたりしている。
【０００３】
上述のようにデバイスを患部へ押し進める操作は、より詳しくは、被検体に弱いＸ線を照射しつつ、その透視像を専用のモニタに表示して、これを参照しながら行われる。この他、デバイスを挿入するのに必要な撮影画像や一時的に造影剤を少量注入することにより得られる血管走行等をモニタで確認しながら操作が進められることも多い。
【０００４】
このようなＸ線診断装置の概略構成を図１に示す。同図に示すように、当該Ｘ線診断装置は、主に、装置全体を制御するシステムコントロール部１と、Ｘ線管２及び検出器３を搭載したアーム部５と、被検体Ｐを載置する寝台７と、これらに関する操作を行うための操作部８と、さらには、検出器３からのＸ線情報を画像化すると共に、種々の画像処理を行う画像制御部９と、その画像を表示するモニタ１０とから構成される。
【０００５】
システムコントロール部１は、さらに、専用のモニタ１１を有し、このモニタ１１に表示されるＧＵＩ（Ｇｒａｐｈｉｃａｉ　Ｕｓｅｒ　Ｉｎｔｅｒｆａｃｅ）を操作するキーボード１２、マウス１３などのユーザーインターフェースを備えている。システムコントロール部１は、アーム部５及び寝台７に関する駆動制御の他、Ｘ線発生器６におけるＸ線制御、画像制御部９における画像収集管理や検査患者情報などのデータ管理、さらには、インジェクタやイメージャなどの周辺機器の制御なども行う。
【０００６】
このようなＸ線診断装置において、前述したデバイスを被検体Ｐの患部へ進行させる際には、Ｘ線管２及び検出器３にて透視を行いながら、その透視画像をモニタ１０に表示させて、その画像を操作者が確認しながら操作が行われる。
【０００７】
しかしながら、デバイスが血管内を進行していくと、デバイスの進行方向や、画像視野の大きさによっては、デバイスの先端位置がその範囲外へと進んでいき、これがモニタ１０に映し出される画像の表示範囲（以降、画像視野と称する）外へと移動してしまうことがある。
【０００８】
【特許文献１】
特開平１０−４３１６８号公報
（段落［０００２］−［０００９］、［００１９］−［００２５］、第１図乃至第８図）
【０００９】
【発明が解決しようとする課題】
このような場合、従来のＸ線診断装置においては、アーム部５や寝台７を操作部８で操作し、再度、デバイスの先端を画像視野の範囲内に捉えるように画像視野の位置調整を行っている。しかしながら、このようにアーム部５や寝台７を移動させる際には、周辺機器との干渉を気にしなければならず、術者の操作負担となっていた。特に、アーム部５を操作する場合には、これがＸ線管２及び検出器３を搭載する重量物であり移動の際の慣性力が大きいことから、微妙な位置調整を行うことは困難であり、操作性の問題もあった。
【００１０】
ところで、実際の診断においては、寝台７を操作することで、即ちアーム部５は固定して、Ｘ線管２及び検出器３の位置は保持したまま、被検体Ｐを載置している寝台７の天板部７ａのみを専用の操作部８にて前後、左右、上下方向に平行移動させることで画像視野の位置調整を行うことが多い。しかしながら、このように天板部７ａを移動させる場合には、これに載置される被検体Ｐも移動されることとなるため、被検体Ｐが苦痛を伴うという問題があり、また、被検体Ｐに挿入されているデバイスやその他器具（点滴用チューブ）が外れないように気にしなければならないこと、さらには、天板部７ａの平行移動は手動によっているため、体重の重い被検体Ｐを移動させる場合には、操作に苦労を要するといったこと等から、術者にとって大きな操作負担となっていた。
【００１１】
本発明は、上記課題を鑑みてなされたものであり、その目的とするところは、検出器のみを移動させてモニタに表示される画像視野の位置調整を行うことで、操作者及び患者の負担を極力少なくし、且つ、検査の進行に必要な画像視野を簡単に確保することのできるＸ線診断装置を提供することにある。
【００１２】
【課題を解決するための手段】
上記課題を解決するために、請求項１記載の発明は、被検体に対してＸ線を照射するＸ線管と、前記Ｘ線管より照射されたＸ線を検出する検出器と、前記Ｘ線管のＸ線照射方向と前記検出器の検出面とが前記被検体を挟んで互いに対向するように支持する支持手段と、を含むＸ線診断装置であって、前記支持手段は、前記検出器のみを、その検出面に沿って平行移動させる検出器移動手段を備えることを特徴とする。
【００１３】
また、請求項２記載の発明は、請求項１記載のＸ線診断装置であって、前記支持手段は、前記検出器移動手段により前記検出器が平行移動された場合に、前記検出器の平行移動に応じて、前記Ｘ線管の方向調整を行うことが可能な方向調整手段をさらに備えることを特徴とする。
【００１４】
また、請求項３記載の発明は、請求項１又は請求項２に記載のＸ線診断装置であって、前記Ｘ線管は、前記検出器移動手段により前記検出器が平行移動された場合に、前記検出器の平行移動に応じて、前記Ｘ線管の照射位置及び照射範囲の調整を行うことが可能な絞り機構をさらに備えることを特徴とする。
【００１５】
また、請求項４記載の発明は、請求項１乃至請求項３の何れか一項に記載のＸ線診断装置であって、前記支持手段は、前記検出器移動手段により前記検出器が限界まで平行移動された場合に、さらに、前記検出器の検出面に沿って、前記Ｘ線管及び前記検出器を平行移動させることの可能なＸ線管／検出器移動手段をさらに備えることを特徴とする。
【００１６】
また、請求項５記載の発明は、請求項１乃至請求項４の何れか一項に記載のＸ線診断装置であって、前記検出器移動手段により前記検出器を平行移動させる操作手段と、前記検出器を予め設定される原点位置に移動させる原点復帰手段とを備えた操作部をさらに備えることを特徴とする。
【００１７】
また、請求項６記載の発明は、請求項１乃至請求項５の何れか一項に記載のＸ線診断装置であって、前記検出器移動手段は、互いに略直交する２軸の平行移動手段を備え、前記２軸の平行移動手段の平行移動により前記検出器の斜め方向への平行移動を可能にすることを特徴とする。
【００１８】
また、請求項７記載の発明は、請求項１乃至請求項６の何れか一項に記載のＸ線診断装置であって、前記検出器からの投影データを基に、画像を作成する画像作成手段を備え、当該画像作成手段は、前記検出器移動手段により前記検出器が平行移動された場合に、前記検出器の平行移動に対応して、前記画像に生じる歪みを補正する画像歪み補正手段をさらに備えることを特徴とする。
【００１９】
また、請求項８記載の発明は、請求項１乃至請求項７の何れか一項に記載のＸ線診断装置であって、前記画像作成手段により作成された画像を表示する表示手段と、前記検出器移動手段により前記検出器が平行移動された場合に、前記検出器の平行移動に対応して、前記表示手段に表示される画像の表示範囲の位置補正を行う表示範囲位置補正手段とを備えることを特徴とする。
【００２０】
【発明の実施の形態】
以下、本発明に係るＸ線診断装置の一実施形態について、図面を参照しながら詳細に説明する。
【００２１】
図１に、本実施形態におけるＸ線診断装置の概略構成図を示す。同図に示すように、当該Ｘ線診断装置は、装置全体を制御するシステムコントロール部１と、Ｘ線を照射するＸ線管２と、このＸ線管２から照射されたＸ線を検出する検出器３と、この検出器３を支持する検出器サポート部４と、Ｘ線管２、検出器３及び検出器サポート部４を支持するアーム部５と、Ｘ線管２にＸ線を発生させるための電力を供給するＸ線発生器６と、被検体Ｐを載置する寝台７と、アーム部５及び寝台７等を操作するための操作部８と、さらには、検出器３からのＸ線情報を画像化すると共に、種々の画像処理を行う画像制御部９と、その画像を表示するモニタ１０等から構成されている。尚、アーム部５は、本発明の「支持手段」に対応する。また、画像制御部９は、本発明の「画像作成手段」に対応する。また、モニタ１０は、本発明の「表示手段」に対応する。
【００２２】
Ｘ線管２のＸ線照射面には、Ｘ線の照射位置及び照射範囲を制限する絞り２ａが備えられている。また、システムコントロール部１は、専用のモニタ１１を有し、さらに、このモニタ１１に表示されるＧＵＩ（Ｇｒａｐｈｉｃａｉ　Ｕｓｅｒ　Ｉｎｔｅｒｆａｃｅ）を操作するキーボード１２、マウス１３などのユーザーインターフェースを備えている。システムコントロール部１は、アーム部５及び寝台７の駆動制御、Ｘ線発生器６に対するＸ線制御、画像制御部９における画像収集管理の他、検査患者情報などのデータ管理や、インジェクタ、イメージャなどの周辺機器の制御も行う。尚、Ｘ線管２及び絞り２ａを含み、本発明の「Ｘ線管」は構成される。また、絞り２ａは、本発明の「絞り機構」に対応する。
【００２３】
図２に、当該Ｘ線診断装置の検出器３の平行移動に関する制御ブロック図を示す。同図に示すように、システムコントロール部１には、検出器３をその検出面に沿って平行移動させる制御を行うための検出器移動制御部１ａ及び検出器駆動制御部１ｂが備えられており、専用の操作レバー１４により操作された操作情報は、システムコントロール部１の検出器移動制御部１ａへ送信され、この検出器移動制御部１ａが検出器３の移動量及び移動方向を決定する。これらの移動情報は、検出器移動制御部１ａから検出器駆動制御部１ｂへと送信され、検出器駆動制御部１ｂは、検出器移動機構部４０により検出器３を所定方向に所定量移動させる制御を行う。検出器駆動制御部１ｂは、検出器３を駆動させるために必要な複数の制御を同時に行うことが可能な機能を備えている。検出器駆動機構部４０と検出器３とは、ギヤ或いは直線移動型のベアリング等により連結されており、検出器移動機構部４０の駆動力が直線運動に変換される構成となっている。尚、検出器移動機構部４０は、本発明の「検出器移動手段」に対応し、検出器３と検出器サポート部４との間に設けられる。当該検出器移動機構部４０の詳細については後述する。
【００２４】
ところで、操作レバー１４の操作により検出器３が平行移動を行うと、Ｘ線の照射範囲はズレを生じる。このためＸ線管２をそのままの状態で保持しておくと、検出器３に照射されるＸ線の領域が狭くなり、効率良く画像視野を確保することができなくなる。従って、検出器３の移動に連動して、Ｘ線管２のＸ線照射領域やＸ線照射方向を調整する必要が生じる。
【００２５】
そこで、当該装置においては、図３（ａ）、（ｂ）に示すように、Ｘ線管２の絞り２ａは、検出器３の移動に連動して、その絞り位置及び開度を調整可能に構成する。尚、この構成の詳細については後述する。このように、検出器３の移動に連動して、Ｘ線管２の絞り２ａの絞り位置及び開度を調整することで、Ｘ線の照射領域を検出器３の移動に合わせて制御することができる。尚、絞り２ａが複数枚存在する場合には、検出器３の移動方向に対して、Ｘ線が効率良く当たるように、各々の絞り２ａの位置を独立で制御することとする。
【００２６】
また、図４（ａ）、（ｂ）に示すように、Ｘ線管２を支持するＸ線管サポート部１５は、その取り付け部Ｏを中心に、Ｘ線管２を方向調整可能に構成する。具体的には、同図（ａ）、（ｂ）に点線で示すように、Ｘ線管サポート部１５は、Ｘ線管２を２軸方向に傾けることが可能な機構となっており、検出器３の移動に連動して、各々の軸が独立して動作する構成とする。このように検出器３の移動に連動して、Ｘ線管２の方向調整を行うことで、Ｘ線の照射範囲を常に検出器３上に設定することが可能となる。
【００２７】
図５に、以上に説明したＸ線管２の絞り２ａの絞り位置及びＸ線管２の方向調整に関する制御ブロックを示す。同図に示すように、システムコントロール部１には、Ｘ線管２を方向調整制御するためのＸ線管軸駆動制御部１ｃ及びＸ線管軸制御部１ｄと、絞り２ａの絞り位置を調整制御するための絞り駆動制御部１ｅ及び絞り位置／開度制御部１ｆとが備えられており、操作レバー１４により操作された操作情報は、システムコントロール部１の検出器移動制御部１ａへ送信され、この検出器移動制御部１ａが検出器３の移動量及び移動方向を決定する。これらの情報は、検出器移動制御部１ａから検出器駆動制御部１ｂへと送信され、検出器駆動制御部１ｂは、検出器移動機構部４０により検出器３を所定方向に所定量移動させる制御を行う。操作レバー１４により操作された操作情報は、検出器駆動制御部１ｂから、さらに、Ｘ線管軸制御部１ｄと絞り位置／開度制御部１ｆへと送信され、Ｘ線管軸制御部１ｄがＸ線管２の移動量及び移動方向を決定する。これらＸ線管２に関する移動情報は、Ｘ線管軸制御部１ｄからＸ線管軸駆動制御部１ｃへと送信され、Ｘ線管軸駆動制御部１ｃは、Ｘ線管移動機構部２０によりＸ線管２を所定方向に所定量だけ移動させる制御を行う。また、操作レバー１４により操作された操作情報は、検出器駆動制御部１ｂから、さらに、絞り位置／開度制御部１ｆへと送信され、絞り位置／開度制御部１ｆが絞り２ａの絞り位置及び開度を決定する。これら絞り２ａに関する移動情報は、絞り位置／開度制御部１ｆから絞り駆動制御部１ｅへと送信され、絞り駆動制御部１ｅは、絞り２ａの絞り位置を所定方向に所定量移動させる制御を行うと共に、絞り２ａの開度を調整する制御を行う。尚、Ｘ線管移動機構部２０は、本発明の「方向調整手段」に対応する。
【００２８】
図６（ａ）、（ｂ）に、操作レバー１４を用いて検出器３を移動させたときの概念図（寝台７上部から見た検出器３の移動）を示す。前述のように、操作レバー１４を操作することによりアーム部５や寝台７は動かさずに検出器３のみを移動させることができる。検出器３はアーム部５に設置されている検出器サポート部４に支持されており、検出器３は、検出器移動機構部４０により検出器３の検出面に沿って平行移動することが可能な構成となっている。よって、操作レバー１４を倒した場合には、同図（Ｂ）に示すように、倒した方向に対応して検出器３が平行移動を行う。
【００２９】
さらに、検出器３が移動したことに連動して、図５に示すシステムコントロール部１の前述した制御を用いて、Ｘ線管２から照射されるＸ線が移動した後の検出器３に対して適切に入射するようにＸ線管２及び絞り２ａの位置調整等が行われる。さらに、操作部８に設置されるホームポジション自動戻りスイッチ８ａを押下することで、移動した検出器３をホームポジションに自動で戻すことができるように構成する。此処に言うホームポジションとは、検出器サポート部４と検出器３のデフォルトの設定位置であり、施設にシステムを構成する際に設定されるか、当該装置の生産工場からの出荷時に設定されることとなる。尚、ホームポジション自動戻りスイッチ８ａは、本発明の「原点復帰手段」に対応する。
【００３０】
図７及び図８（ａ）、（ｂ）に、前述した検出器移動機構部４０の構成例を示す。図７に示すように、当該検出器移動機構部４０は、互いに直交する２軸（図に示す▲１▼と▲２▼の方向）が独立して動作する構成となっており、各軸の動作は、各々、システムコントロール部１が操作レバー１４の操作量に応じて検出器３の移動量を計算して、その移動量だけモータ及びギヤからなる駆動部が検出器３の移動を行う仕組みとなっている。
【００３１】
より詳しくは、図７における▲１▼の方向への平行移動は、図８（ａ）に示すように、検出器３の背面に刻まれた検出器背面ギヤ３ａと、移動ユニット部４０ａの中央付近に内蔵されているモータ４０ｂとギヤ４０ｃａを介して接続されたギヤ４０ｃｂとが噛み合う構成となっており、モータ４０ｂを正逆回転することで、▲１▼方向への平行移動を可能としている。モータ４０ｂを駆動させるための電力供給ラインは、システムコントロール部１などから、アーム部５、検出器サポート部４を通って、移動ユニット部４０ａのモータ４０ｂへと配線する。また、モータ４０ｂの制御信号送信ラインも同じ経路を辿って配線される。
【００３２】
また、図７における▲２▼の方向への平行移動は、図８（ｂ）に示すように、移動ユニット背面ギヤ４０ｄと検出器サポート部４の中央付近に内蔵されているモータ４ａとギヤ４ｂａを介して接続されたギヤ４ｂｂとが噛み合う構成となっており、モータ４ａを正逆回転することで、▲２▼方向への平行移動を可能としている。モータ４ａを駆動させる電力供給ラインは、システムコントロール部１などから、アーム部５、検出器サポート部４を通ってモータ４ａへと配線する。また、モータ４ａの制御信号送信ラインも同じ経路を辿って配線される。
【００３３】
図８（ａ）、（ｂ）に示す２軸を独立して動作させることで、検出器３の斜め方向をも含む平行移動を可能とする。また、図８（ａ）、（ｂ）に示す構成においては、検出器３の大きさ分だけの移動範囲となっているが、検出器背面ギヤ３ａ、移動ユニット背面ギヤ４０ｃの長さを確保することで、検出器３の幅以上の平行移動も可能となる。また、移動ユニット部４０と検出器サポート部４、また、移動ユニット部４０と検出器３との位置関係は、直線移動用のガイドなどで規定することで、各ユニット間での平行移動を可能とする。
【００３４】
図９に、検出器３とＸ線管２の取り付け部分に設けられる伸縮機構５０及び伸縮機構５１の構成を示す。同図に示すように、検出器３とＸ線管２は、各々、伸縮機構５０と伸縮機構５１によって検出器３の検出面に沿って平行に伸縮移動可能な構成となっている。このような構成において、操作レバー１４を用いて検出器３を平行移動の限界範囲の位置まで移動させると、操作レバー１４による操作は、自動的に伸縮機構５０の伸縮動作に関する操作に切り替えられ、操作レバー１４の伸縮機構５０の伸縮動作に関する操作に伴い、伸縮機構５１も伸縮機構５０と同じ量、同じ方向へ伸縮するようになっている。これにより検出器３とＸ線管２の位置関係は常に一定に保たれ、また、検出器３の平行移動の範囲も広がることから、広範囲の撮影にも対応することができる。尚、伸縮機構５０と伸縮機構５１は、本発明の「Ｘ線管／検出器移動手段」に対応する。
【００３５】
尚、伸縮機構５０及び伸縮機構５１は、共にアーム部５により支持され、図示省略のモータによって駆動するようになっている。また、この伸縮機構５０及び伸縮機構５１を専用に操作するための操作レバーを、検出器３の操作レバー１４と別に設けても良い。その場合、この操作レバーに伸縮機構５０及び伸縮機構５１がデフォルト位置に戻るためのホームポジション自動戻りスイッチなどを設けても良い。
【００３６】
ところで、前述のように、検出器３を平行移動した場合には、Ｘ線の照射を確実に行うために、Ｘ線管２の方向調整や絞り２ａの絞り位置や開度の調整などを行うのだが、このような場合には、図１０（ａ）、（ｂ）に示すように、画像制御部９において作成される画像Ｓに歪みが生じることとなる。具体的には、検出器３においてＸ線管２（厳密には、Ｘ線管２のＸ線発生焦点）からの距離が遠いところでは、Ｘ線管２と検出器３が正対している箇所と比較して、得られる画像の大きさ（幅）が大きくなり、また、検出器３においてＸ線管２（厳密には、Ｘ線管２のＸ線発生焦点）からの距離が近いところでは、Ｘ線管２と検出器３が正対している箇所と比較して、得られる画像の大きさ（幅）が小さくなる。そこで、当該装置においては、このような歪みをリアルタイムに補正して、補正された画像をモニタ１０に表示するためのシステムを構成する。
【００３７】
図１１に、このようなシステムのブロック図を示す。検出器３が平行移動されると、システムコントロール部１の検出器駆動制御部１ｂは、その移動量に関する情報を画像制御部９の歪み補正制御部９ａへ送信する。また、画像検出制御部９の画像作成部９ａで得られた画像Ｓに関する情報は、歪み補正制御部９ｂへ伝達され、歪み補正制御部９ｂは、システムコントロール部１の検出器駆動制御部１ｂから送信された検出器３の移動量に関する情報から、画像の最適な歪み補正処理を行う。この最適な歪み補正処理とは、一般にプロジェクタ等において行われる、所謂、台形歪み補正処理のことであり、具体的には、検出器３の移動量と移動方向から、歪みの生じた画像の各画素位置をＸ線管２と検出器３が正対している場合に得られる画像の画素位置に変換することで歪み補正が行われる。補正後の画像に関する情報は画像作成部９ａへ送信される。補正された画像Ｓ´は、標準の画像処理（階調処理、デジタルフィルタ処理など）が行われた後、モニタ１０に表示される。このような処理は、透視においてもリアルタイムに行われることとする。尚、歪み補正制御部９ｂは、本発明の「画像歪み補正手段」に対応する。
【００３８】
図１２に、検出器３の移動とモニタ１０に表示される参照画像の自動パンニングに関する制御ブロック図を示す。通常、検査室に設置されるモニタ１０においては、透視画像或いは撮影画像をリアルタイムに表示すると共に、既に撮影した画像を再生したり、その再生画像から静止画像を生成し、これを表示することで検査を進めるための参照画像とすることが一般的に行われている。実際には、最適な参照画像（再生画像や静止画像）を選択するために、撮影された画像群や生成した静止画像群をカタログ上に表示させたり、１画像毎に切り替えて表示したりしている。選ばれる参照画像は、透視下で確認できる画像視野と同じ位置で撮影された画像であったり、その画像から生成した静止画像であったりすることが多い。
【００３９】
しかしながら、このような場合に、操作者が天板部７ａやアーム部５、また、本発明のように検出器３を移動させて画像視野を変更してしまうと、既に表示されている参照画像の中心が、透視下で得られる画像視野の中心と異なってしまうため、操作者は、手動にて参照画像の表示中心を透視下で得られる画像視野の中心に一致させる操作を行わなければならない。
【００４０】
そこで、当該装置においては、検出器３の移動に連動して、表示されている参照画像を自動的に追従させて、透視下で得られる画像の中心と、参照画像の画像中心とを自動的に一致させるシステムを構成する。
【００４１】
図１２に、このようなシステムのブロック図を示す。検出器３が移動されると、その移動量及び移動方向に関する情報は、システムコントロール部１の検出器駆動制御部１ｂから画像制御部９の画像自動パンニング制御部９ｃへ送信され、画像自動パンニング制御部９ｃは、これらの情報をモニタ１０上での参照画像移動量及び移動方向に関する情報として画像中心位置座標の移動量に換算して、画像作成部９ａは、その換算結果に基づいて作成した画像を換算された位置へ自動的にシフトさせる処理を行う。そして、シフト処理後の画像はモニタ１０上にリアルタイムに表示される。因みに、画像自動パンニング制御部９ｃは、画像作成部９ａとモニタ１０の間に設けても構わない。尚、画像自動パンニング制御部９ｃは、本発明の「表示範囲位置補正手段」に対応する。
【００４２】
さらに、当該システムを用いて、例えば透視ロードマップ時のマスク像を自動的にシフトさせることも可能である。
【００４３】
ここで、当該装置を用いて透視ロードマップを作成する際の手順について説明する。このような場合、操作者は、まず操作部８において、透視ロードマップマスク像作成機能を選択する操作を行う。次に、被検体Ｐの血管に造影剤を注入しながら所定の固定位置にて透視を行う。この時、画像制御部９の画像作成部９ａにおいて、図示省略の記憶部に透視により得られた血管造影像が随時記憶される。画像作成部９ａは、記憶された複数毎の透視血管造影像を加算処理したり、各画像のピーク画像のみを抽出し、そのピーク部分のみをトレース（ピークトレース）したりすることで、造影された血管全てが描画された画像を作成する。この作成された画像がマスク像となる。そして、マスク像が完成した後、上記造影剤の注入が止められ、画像作成部９ａは、作成されたマスク像と、リアルタイムの透視で得られている透視像（背景とデバイスのみの画像）との差分処理（サブトラクション処理）を行う。そして、サブトラクション処理されたことで、マスク像の血管描画部分とデバイスのみが描画された画像がモニタ１０に表示される。この際、血管とデバイスとの見分けを容易とするために、画像作成部９ａは、血管とデバイスを異なる色（白と黒等）で表示する処理等を行う。
【００４４】
ところで、上述のように、透視ロードマップのマスク像は、所定の固定位置にて行われた透視により得られた透視血管造影像を基に作成されるものであるため、従来のＸ線診断装置においては、リアルタイムで透視を行っている際中に検出器を移動させてしまうと、マスク像を作成した時の視野位置とズレを生じ、適切にサブトラクション処理が成されず、血管像やデバイスが見づらくなる問題が生じていた。
【００４５】
しかしながら、当該装置にあっては、前述したシステム（図１２を参照のこと）を用いることで、リアルタイムで透視を行っている際中に検出器３が移動された場合であっても、その移動量及び移動方向に関する情報がシステムコントロール部１の検出器駆動制御部１ｂから画像制御部９の画像自動パンニング制御部９ｃへ送信され、画像自動パンニング制御部９ｃは、これらの情報をモニタ１０上での参照画像移動量及び移動方向に関する情報として画像中心位置座標の移動量に換算して、画像作成部９ａは、その換算結果に基づいて作成した画像を換算された位置へ自動的にシフトさせる処理を行い、シフト処理後の画像をモニタ１０上にリアルタイムに表示するため、マスク像を作成した時の視野位置とのズレが補正され、適切にサブトラクション処理が成された良好な画像をモニタ１０に表示することができる。
【００４６】
尚、このようなシフト処理は、リアルタイムで透視を行っている際中に限らず、マスク像を作成する際にも行うこととしても良い。これにより、マスク像を作成する際の視野位置のズレも補正され、より良好にサブトラクション処理が成された画像をモニタ１０に表示することができる。
【００４７】
以上に説明したように、本実施形態におけるＸ線診断装置によれば、検出器３のみを移動させることで、天板部７ａ上の患者を移動させることなく、また、アーム部５を移動する際の周辺機器との干渉等を気にすることなく、所望の画像視野を簡単に確保することができる。また、重量物であるアーム部５を手動で移動させることもないため、微妙な位置調整を容易に行うことができる。従って、操作者の操作負担を軽減することができる。
【００４８】
また、本実施形態におけるＸ線診断装置によれば、検出器３の移動に応じて、自動的に、モニタ１０に表示される画像の歪み補正や、モニタ１０に表示される画像と参照画像或いはロードマップ時のマスク像との中心位置調整が行われるので、検査を進めるのに最適な画像を操作者に提供することができる。
【００４９】
【発明の効果】
以上に説明したように、本発明に係るＸ線診断装置によれば、検出器のみを移動させることで、画像視野の変更を行うことも可能であるため、天板部上の患者を移動させることなく、また、アーム部を移動する際の周辺機器との干渉等を気にすることなく、所望の画像視野を簡単に確保することができる。また、重量物であるアーム部を手動で移動させることもないため、微妙な位置調整を容易に行うことができる。従って、操作者の操作負担を軽減することができる。
【００５０】
また、本発明に係るＸ線診断装置によれば、検出器の移動に応じて、自動的に、モニタに表示される画像の歪み補正や、モニタに表示される画像と参照画像或いはロードマップ時のマスク像との中心位置調整が行われるので、検査を進めるのに最適な画像を操作者に提供することができる。
【図面の簡単な説明】
【図１】本発明に係るＸ線診断装置の一実施形態における概略構成図である。
【図２】図１に示すＸ線診断装置における検出器の移動に関する制御構成を表すブロック図である。
【図３】図１に示すＸ線診断装置において、Ｘ線管の絞りが検出器の移動に連動して、その絞り位置を調整されることを説明するための説明図である。
【図４】図１に示すＸ線診断装置において、Ｘ線管を支持するＸ線管サポート部が、その取り付け部を中心にＸ線管を方向調整可能に支持する具体的構成を説明するための説明図である。
【図５】図１に示すＸ線診断装置におけるＸ線管の絞りの絞り位置及びＸ線管の方向調整に関する制御構成を表すブロックである。
【図６】図１に示すＸ線診断装置において、検出器を移動させたときに、寝台上部から見た検出器の移動を示す概念図である。
【図７】図１に示すＸ線診断装置において、検出器を平行移動させるための検出器移動機構部の具体的構成を説明するための説明図である。
【図８】図７に示す検出器移動機構部の詳細構成を説明するための説明図である。
【図９】図１に示すＸ線診断装置において、検出器及びＸ線管を平行移動させるため伸縮機構の具体的構成を説明するための説明図である。
【図１０】図１に示すＸ線診断装置において、検出器の平行移動に応じて、Ｘ線管の絞りの絞り位置や開度の調整及び方向調整を行った場合に、検出器より得られる画像に歪みが生じることを説明するための説明図である。
【図１１】図１０に示す歪み（検出器の平行移動に応じて、Ｘ線管の絞りの絞り位置や開度の調整及び方向調整を行った場合に、検出器より得られる画像に生じる歪み）をリアルタイムに補正するための制御構成を示すブロック図である。
【図１２】図１に示すＸ線診断装置において、検出器の移動に連動して、表示されている参照画像を自動的に追従させて、透視下で得られる画像の中心と、参照画像の画像中心とを自動的に一致させるための制御構成を示すブロック図である。
【符号の説明】
１…システムコントロール部
１ａ…検出器移動制御部
１ｂ…検出器駆動制御部
１ｃ…Ｘ線管軸駆動制御部
１ｄ…Ｘ線管軸制御部
１ｅ…絞り駆動制御部
１ｆ…絞り位置／開度制御部
２…Ｘ線管
２ａ…絞り
３…検出器
１４…操作レバー
２０…Ｘ線管移動機構部
４０…検出器移動機構部
【図１】
2004105568.tif 000003
【図２】
2004105568.tif 000004
【図３】
2004105568.tif 000005
【図４】
2004105568.tif 000006
【図５】
2004105568.tif 000007
【図６】
2004105568.tif 000008
【図７】
2004105568.tif 000009
【図８】
2004105568.tif 000010
【図９】
2004105568.tif 000011
【図１０】
2004105568.tif 000012
【図１１】
2004105568.tif 000013
【図１２】
2004105568.tif 000014